(57)【特許請求の範囲】
【請求項１】
縦に配置する網は、上部を、網目のある掛け部にし、下部を、前上側に湾曲して横樋ないし溝の形状にし、底のある載せ部にし、
掛け部の網目に釣り鉤を介して又は介せずに物品を引っ掛けて掛け部に物品を掛けて置く構成にし、
下部の載せ部の底に物品を載せて載せ部に物品を載せて置く構成にし、
載せ部は、底にシートを敷いて底の網目を塞いていることを特徴とするハンガーネット。
【請求項２】
網は、繊維紐又は繊維糸を網状に配列してそれらの交差部を結合した繊維網にし、湾曲や折り畳みを可能にし、
縦に配置する繊維網は、上端に沿って上側横棒を、下端に沿って下側横棒を取り付け、上部を、物品を掛けて置く掛け部にし、
繊維網は、前面側にリブ材を上下方向と前後方向に沿って取り付け、下部を前上側に湾曲してリブ材の外周に沿わせ、下側横棒をリブ材の前部に取り付けて、網の下部を横樋ないし溝の形状に湾曲した状態に維持し、物品を載せて置く載せ部を構成し、
下側横棒は、リブ材の前部から取り外し可能にし、リブ材は、繊維網から取り外し可能にしていることを特徴とするハンガーネット。
【請求項３】
載せ部は、底にシートを敷いて底の網目を塞いていることを特徴とする請求項２に記載のハンガーネット。
【発明の詳細な説明】
【技術分野】
【０００１】
本発明は、物品を掛けて置く、また、載せて置くことができるハンガーネットに関する。
【背景技術】
【０００２】
ハンガーネットは、針金の枠の内側に多数の針金を縦横に配列して網に構成している。この金網のハンガーネットは、家庭や店舗の壁面に取り付けられ、平面状の網が縦に配置される。そして、この網は、網目に釣り鉤を引っ掛け、釣り鉤に物品を引っ掛ける。又は、釣り鉤を介せず、直接、物品を引っ掛ける。ハンガーネットは、家庭や店舗において、小物の日用品や台所用品、小物の商品のような各種の物品を掛けて置く。この種のハンガーネットは、特許文献１に例示される。
【０００３】
【特許文献１】実開昭６０−１０９４７０号公報
【発明の開示】
【発明が解決しようとする課題】
【０００４】
［背景技術の課題］
ハンガーネットは、平面状の網を縦に配置し、網目に釣り鉤を介して又は介せずに物品を引っ掛ける構造である。引っ掛ける部分のない物品は、保持することができない。
【０００５】
そのような物品を保持するときには、その物品を容れる引っ掛け部付の容器を用いることになる。そのような引っ掛け部付の容器は、容れる物品毎に異なり、各種のものを用意しなければならない。不便である。
【０００６】
ハンガーネットは、物品を掛けて置くことも、載せて置くこともできると、便利である。
【０００７】
［課題を解決するための着想］
１）ハンガーネットにおいて、縦に配置する網は、上部を、従来通りに、物品を掛けて置く掛け部のままに残し、下部を、前上側に湾曲して、上面を開放した横樋ないし溝の形状にし、載せ部にすることにした。この網は、上部の掛け部に物品を掛けて置くことができると共に、下部の載せ部に物品を載せて置くことができる。掛け部に掛らない物品は、載せ部に載せて置くことができる。引っ掛ける部分のない物品も、保持することができる。
【０００８】
網下部の載せ部は、底に網目があって、網目より小さい物品が落下する。そこで、底の網目を通過可能な物品を載せるときには、底にシートを敷いて底の網目を塞ぐことにした。
【０００９】
２）載せ部付の網は、下部が横樋ないし溝の形状に湾曲していて、立体形状になる。保管や輸送には、嵩張って、不便である。そこで、保管時や輸送時には、網は、立体形状の載せ部を解体することにした。
【００１０】
一方、ゴルフ練習場では、ゴルフボールの飛行を規制するため、繊維紐又は繊維糸の網が使用されている。この繊維網は、金網とは異なり、人力で容易に湾曲したり、折り畳んだりすることができる。
【００１１】
そこで、ハンガーネットにおいて、金網に替えて、繊維網を用いることにした。また、針金の枠に替えて、繊維網の上端に沿って取り付ける上側横棒と、下端に沿って取り付ける下側横棒を用いることにした。また、繊維網の下部を横樋ないし溝の形状に湾曲した状態に維持するリブ材を用いることにした。
【００１２】
具体的には、網は、繊維紐又は繊維糸を網状に配列してそれらの交差部を結合した繊維網にし、湾曲や折り畳みを可能にする。繊維網は、上端に沿って上側横棒を、下端に沿って下側横棒を取り付け、上部を、物品を掛けて置く掛け部にする。また、繊維網は、前面側にリブ材を上下方向と前後方向に沿って取り付け、下部を前上側に湾曲してリブ材の外周に沿わせ、下側横棒をリブ材の前部に取り付けて、網の下部を横樋ないし溝の形状に湾曲した状態に維持し、物品を載せて置く載せ部を構成する。下側横棒は、リブ材の前部から取り外し可能にし、リブ材は、繊維網から取り外し可能にする。載せ部は、解体可能にする。
【課題を解決するための手段】
【００１３】
１）縦に配置する網は、上部を、網目のある掛け部にし、下部を、前上側に湾曲して横樋ないし溝の形状にし、底のある載せ部にし、
掛け部の網目に釣り鉤を介して又は介せずに物品を引っ掛けて掛け部に物品を掛けて置く構成にし、
下部の載せ部の底に物品を載せて載せ部に物品を載せて置く構成にし、
載せ部は、底にシートを敷いて底の網目を塞いていることを特徴とするハンガーネット。
２）網は、繊維紐又は繊維糸を網状に配列してそれらの交差部を結合した繊維網にし、湾曲や折り畳みを可能にし、
縦に配置する繊維網は、上端に沿って上側横棒を、下端に沿って下側横棒を取り付け、上部を、物品を掛けて置く掛け部にし、
繊維網は、前面側にリブ材を上下方向と前後方向に沿って取り付け、下部を前上側に湾曲してリブ材の外周に沿わせ、下側横棒をリブ材の前部に取り付けて、網の下部を横樋ないし溝の形状に湾曲した状態に維持し、物品を載せて置く載せ部を構成し、
下側横棒は、リブ材の前部から取り外し可能にし、リブ材は、繊維網から取り外し可能にしていることを特徴とするハンガーネット。
３）上記２）のハンガーネットにおいて、
載せ部は、底にシートを敷いて底の網目を塞いていることを特徴とする。
【発明の効果】
【００１４】
ハンガーネットにおいて、網の上部の掛け部に物品を掛けて置くことができ、下部の載せ部に物品を載せて置くことができる。掛け部に掛らない物品は、載せ部に載せて置くことができる。
【００１５】
また、立体形状の載せ部は、解体することができる。保管や輸送に便利である。
【発明を実施するための最良の形態】
【００１６】
実施形態のハンガーネットは、載せ部を組立てた状態を図１〜図４に、載せ部を解体した状態を図５〜図８に示す。このハンガーネットは、網１、上側横棒６、下側横棒７と吊り紐８を有している。更に、載せ部組立て用に、左側と右側のリブ材１１、左側と右側の留め具１６とシート１８を有している。
【００１７】
網１は、図５と図６に平面状態を示すように、化学繊維の紐２、３を縦横に配列し縦紐２と横紐３の交差部を溶着して結合している。化学繊維紐の網、繊維網にしている。この網１は、網目を方形状にし、外周形状を方形状にしている。化学繊維の紐２、３は、ポリアミド系合成繊維の糸を撚り合わせて構成している。繊維網１は、平面状であり、湾曲や折り畳みが人力で可能であり、容易である。これは、工業的に量産されているゴルフボール用の繊維網を転用している。
【００１８】
繊維網１は、上端に沿って上側横棒６を、下端に沿って下側横棒７を取り付けている。上側横棒６は、網１の最上段の網目を縫って左右方向に貫通している。下側の横棒７は、網１の最下段の網目を縫って左右方向に貫通している。上側横棒６と下側横棒７は、金属又は合成樹脂の丸棒にし、網１の左右方向の長さより少し長くしている。
【００１９】
上側横棒６と網１の最上段の網目には、左側、中央と右側の３個所に亘って吊り紐８を取り付けている。吊り紐８は、化学繊維、天然繊維又は合成樹脂の紐にしている。吊り紐８は、家庭や店舗の壁面ｗに突出している掛け具ｈに掛けると、吊り紐８に上側横棒６が吊り下がり、上側横棒６に網１が吊り下がる。網１は、自重で垂れ下がり、下側横棒７の重さで下側に引っ張られる。図５と図６に示すように、幕のように、縦に配置される。
【００２０】
左側と右側のリブ材１１は、針金を湾曲して構成し、同一の形状寸法にしている。リブ材１１は、図７に示すように、針金を縦にしてその下側部を前上側に環状に湾曲し、下部に案内部１２を前後方向と上下方向に沿って形成している。案内部１２は、上面を開放した横樋ないし溝の断面形状にしている。また、リブ材１１は、針金の後側の上端部を逆三角形状に湾曲し、後側の上端に棒状の取り付け部１３を左右方向に沿って形成している。更に、リブ材１１は、針金の前上側部を小輪状に湾曲し、案内部１２の前側の上端に円輪状の取り付け部１４を左右方向に貫通して形成している。
【００２１】
左側と右側の留め具１６は、コイルバネを転用し、同一の形状寸法にしている。リブ材１１を網１に取り付けるときには、リブ材１１の棒状取り付け部１３と網１の横紐３は、図４に示すように、隣接して並列する。次に、留め具１６のコイルバネは、その螺旋形状に沿って回転しつつ前進させて、棒状取り付け部１３と横紐３に巻き付け、リブ材１１の棒状取り付け部１３を網１の横紐３に留める。
【００２２】
リブ材１１は、図１〜図３に示すように、網１の左端と右端にそれぞれ留め具１６で取り付けている。左右のリブ材１１は、網１の前面側に同じ高さに上下方向と前後方向に沿って配置している。網１は、下部を前上側に湾曲して左右のリブ材１１の案内部１２の外周に沿わせている。下側横棒７は、左右の端部を、それぞれ、左右のリブ材１１の円輪状取り付け部１４に差し込んで、両リブ材１１の前部に取り付けている。
【００２３】
即ち、網１の下部、左右のリブ材１１、左右の留め具１６と下側横棒７で、底のある載せ部を構成している。載せ部は、上面を開放した横樋ないし溝の形状にしている。また、網１の上部は、幕のように、平面状で縦に配置し、網目のある掛け部にしている。
【００２４】
更に、載せ部は、底にシート１８を敷いて底の網目を塞いている。シート１８は、図８に示すように、帯状の合成樹脂シートにしている。この合成樹脂シートは、左右方向に長く、前縁と後縁に、それぞれ、切込１９を網１の縦紐２と同一の間隔に設けている。シート１８は、長手方向を載せ部の左右方向に合わせて載せ部の底に敷き、前縁の切込１９と後縁の切込１９にそれぞれ網１の縦紐２を嵌め込み、載せ部の底に留めている。
【００２５】
なお、載せ部は、底の網目より大きい物品のみを載せ、底の網目を通過可能な物品を載せないときには、シート１８が必要ではない。
【００２６】
このハンガーネットは、掛け部の網目に物品を引っ掛ける。又は、網目には、釣り鉤を引っ掛け、釣り鉤に物品を引っ掛ける。掛け部には、物品を掛けて置く。また、載せ部は、底のシート１８に物品を載せる。載せ部には、物品を載せて置く。特に、掛け部に掛らない物品を載せて置く。
【００２７】
ハンガーネットは、保管時や輸送時には、立体形状の載せ部を解体する。また、載せ部を使用しないときには、載せ部を解体する。シート１８は、載せ部から取り外す。下側横棒７は、左右の端部を、それぞれ、左右のリブ材１１の円輪状取り付け部１４から抜き出し、両リブ材１１の前部から取り外す。下側横棒７と網１の下部は、垂れ下がり状態になる。左右の留め具１６は、それぞれ、その螺旋形状に沿って逆転しつつ後退させて、リブ材１１の棒状取り付け部１３と網１の横紐３から取り外す。左右のリブ材１１は、それぞれ、網１から外れる。
【００２８】
［変形例］
１）上記の実施形態において、上側横棒６ないし網１の上端は、壁面ｗの掛け具ｈに取り付けるに当り、吊り紐８を介するが、吊り紐８を介しない。上側横棒６ないし網１の上端は、直接、掛け具ｈ又は壁面ｗに取り付ける。
２）上記の実施形態において、リブ材１１は、針金を湾曲して構成しているが、合成樹脂成形品又はその他の構成にする。
３）上記の実施形態において、留め具１６は、コイルバネにしているが、物を挟むクリップ又はその他の留め具にする。
【図面の簡単な説明】
【００２９】
【図１】本発明の実施形態におけるハンガーネットの正面図。
【図２】同ハンガーネットの側面図。
【図３】同ハンガーネットの平面図。
【図４】同ハンガーネットのリブ材と網、下側横棒との取り付け関係を示す部分拡大面で、（ａ）は正面図、（ｂ）は側面図。
【図５】同ハンガーネットの載せ部を解体した状態の正面図。
【図６】同状態の側面図。
【図７】同ハンガーネットのリブ材の拡大面で、（ａ）は正面図、（ｂ）は側面図。
【図８】同ハンガーネットのシートの平面図。
【符号の説明】
【００３０】
１  網、繊維網、化学繊維紐の網
２  縦紐、化学繊維の紐
３  横紐、化学繊維の紐
６  上側横棒、金属又は合成樹脂の丸棒
７  下側横棒、金属又は合成樹脂の丸棒
８  吊り紐
１１  リブ材
１２  案内部
１３  棒状の取り付け部
１４  円輪状の取り付け部
１６  留め具、コイルバネ
１８  シート
１９  切込
ｗ  壁面
ｈ  掛け具
【図１】
0005160831.tif 000002
【図２】
0005160831.tif 000003
【図３】
0005160831.tif 000004
【図４】
0005160831.tif 000005
【図５】
0005160831.tif 000006
【図６】
0005160831.tif 000007
【図７】
0005160831.tif 000008
【図８】
0005160831.tif 000009